(57)【要約】【課題】吊戸が２枚以上あっても、床に複数のレールを施工することなく、全ての吊戸の振れ止めを行える吊戸装置を提供する。【解決手段】３枚の吊戸のうち、前後方向の一端側に位置する吊戸１ａの下端部に、床面５に固定された第１係合部材１０が吊戸１ａをスライド可能とするように係合され、隣り合う吊戸１ａ，１ｂ（１ｂ，１ｃ）のうち、一方の吊戸１ａ（１ｂ）の先端部の下端部に、第２係合部材１５が固定され、他方の吊戸１ｂ（１ｃ）の下端部に第２係合部材１５が該他方の吊戸１ｂ（１ｃ）をスライド可能とするように係合され、前後方向の他端側に位置する吊戸１ｃの下端部は、床面５に固定されたレール１７にスライド可能に係合しているので、全ての吊戸１ａ，１ｂ，１ｃの振れ止めを行える。【選択図】図２
2009287223.tif 000002
【特許請求の範囲】
【請求項１】
２枚以上の吊戸をそれぞれ左右方向にスライド可能となるように前後方向に重ねて吊持してなる吊戸装置において、
前記２枚以上の吊戸のうち、前後方向の一端側に位置する吊戸の下端部には、床面または前記吊戸に対向配置された壁面の下端部に固定された第１係合部材が前記吊戸をスライド可能とするように係合されており、
隣り合う吊戸のうち、一方の吊戸の先端部の下端部には、第２係合部材が固定されており、他方の吊戸の下端部には前記第２係合部材が該他方の吊戸をスライド可能とするように係合されており、
前記２枚以上の吊戸のうち、前後方向の他端側に位置する吊戸の下端部は、床面に固定されたレールにスライド可能に係合していることを特徴とする吊戸装置。
【請求項２】
請求項１に記載の吊戸装置において、
前記第２係合部材は、水平に設けられた水平板部と、この水平板部の一端部に垂直に設けられた固定板部と、前記水平板部の他端部に垂直に設けられた係合板部とから構成されており、
前記固定板部が前記一方の吊戸の先端部の下端部側面に固定されており、
前記係合板部が前記他方の吊戸の下端面に形成されこの吊戸の幅方向に延在する溝にスライド可能に係合されており、
前記水平板部が前記他方の吊戸の下方に配置されていることを特徴とする吊戸装置。
【請求項３】
請求項１または２に記載の吊戸装置において、
前記第１係合部材は、水平に設けられた固定板部と、この固定板部の一端部に垂直に設けられた係合板部とから構成されており、
前記固定板部が前記２枚以上の吊戸のうち前後方向の一端側に位置する吊戸の下方またはその近傍に位置する床面に固定されており、
前記係合板部が前記一端側に位置する吊戸の下端面に形成され、この吊戸の幅方向に延在する溝にスライド可能に係合されていることを特徴とする吊戸装置。
【請求項４】
請求項１〜３のいずれか一項に記載の吊戸装置において、
前記２枚以上の吊戸のうち、前後方向の他端側に位置する吊戸の下端面の先端部には、前記レールにスライド可能に係合するスライダが設けられていることを特徴とする吊戸装置。
【請求項５】
請求項１〜４のいずれか一項に記載の吊戸装置において、
前記２枚以上の吊戸のうち、前後方向の一端側に位置する吊戸は、壁面に対向して配置されており、この吊戸と前記壁面との間に位置する床面に、前記第１係合部材が固定されていることを特徴とする吊戸装置。
【発明の詳細な説明】
【技術分野】
【０００１】
本発明は、２枚以上の吊戸をそれぞれ左右にスライド可能となるように前後方向に重ねて吊持してなる吊戸装置に関する。
【背景技術】
【０００２】
３枚の吊戸をそれぞれ左右にスライド可能となるように前後方向に重ねて吊持してなる吊戸装置の一例として、特許文献１に記載のものが知られている。この吊戸装置では、３本のハンガーレールに、それぞれ、吊戸の上端に取り付けられた上吊り車が走行自在に設けられている。また、吊戸のそれぞれの下端には戸車が取り付けられており、これら戸車は戸車用のレールによってその走行が案内されている。そして、このような吊戸装置では、吊戸の下端にそれぞれ取り付けられた戸車が３本の戸車用のレールにそれぞれ嵌合することによって、吊戸の振れ止めがされている。
【特許文献１】特開２００３−２１４０３６号公報
【発明の開示】
【発明が解決しようとする課題】
【０００３】
このように、従来の吊戸装置では、吊戸の振れ止めを行うために吊戸の数に応じて複数の戸車用のレールを設ける必要があるので、これらレールを床等に取り付けるための施工に手間がかかるうえ、床に複数本のレールを施工すると、その分床の表面に凹凸が生じて
【０００４】
本発明は上記事情に鑑みてなされたもので、吊戸が２枚以上あっても、床に複数のレールを施工することなく、全ての吊戸の振れ止めを行える吊戸装置を提供することを課題としている。
【課題を解決するための手段】
【０００５】
上記課題を解決するために、請求項１に記載の発明は、例えば図１〜図３に示すように、２枚以上の吊戸１ａ，１ｂ，１ｃをそれぞれ左右方向にスライド可能となるように前後方向に重ねて吊持してなる吊戸装置において、
前記２枚以上の吊戸１ａ，１ｂ，１ｃのうち、前後方向の一端側に位置する吊戸１ａの下端部には、床面５または前記吊戸１ａに対向配置された壁面６ａの下端部に固定された第１係合部材１０が前記吊戸１ａをスライド可能とするように係合されており、
隣り合う吊戸１ａ，１ｂ（１ｂ，１ｃ）のうち、一方の吊戸１ａ（１ｂ）の先端部の下端部には、第２係合部材１５が固定されており、他方の吊戸１ｂ（１ｃ）の下端部には前記第２係合部材１５が該他方の吊戸１ｂ（１ｃ）をスライド可能とするように係合されており、
前記２枚以上の吊戸１ａ，１ｂ，１ｃのうち、前後方向の他端側に位置する吊戸１ｃの下端部は、床面５に固定されたレール１７にスライド可能に係合していることを特徴とする。
【０００６】
ここで、隣り合う吊戸のうち、一方の吊戸の先端部の下端部に、第２係合部材を固定する場合、前後方向一端側に位置する吊戸、またはこの吊戸に近い側の吊戸を一方の吊戸として、この吊戸の先端部の下端部に第２係合部材を固定する。
他方の吊戸の下端部に、前記第２係合部材を該他方の吊戸をスライド可能とするように係合する場合、前後方向一端側に位置する吊戸に隣り合う吊戸、または前後方向一端側に位置する吊戸に遠い側の吊戸を他方の吊戸として、この吊戸の下端部に、第２係合部材を係合する。
【０００７】
請求項１に記載の発明によれば、前後方向の一端側に位置する吊戸１ａの下端部には、床面５または壁面６ａの下端部に固定された第１係合部材１０が係合され、前後方向の他端側に位置する吊戸１ｃの下端部は、床面５に固定されたレール１７にスライド可能に係合しており、隣り合う吊戸１ａ，１ｂ（１ｂ，１ｃ）のうち、一方の吊戸１ａ（１ｂ）の先端部の下端部には、第２係合部材１５が固定されており、他方の吊戸１ｂ（１ｃ）の下端部には前記第２係合部材１５が係合さているので、全ての吊戸１ａ，１ｂ，１ｃは、第１係合部材１０、第２係合部材１５、レール１７によってその振れ止めが行われている。つまり、前後方向の一端側に位置する吊戸１ａは第１係合部材１０と第２係合部材１５とによって振れ止めが行われ、前後方向の他端側に位置する吊戸１ｃは、レール１７と第２係合部材１５とによって振れ止めが行われ、前後方向の一端側に位置する吊戸１ａと他端側の位置する吊戸１ｃとの間にある吊戸１ｂは、第２係合部材１５，１５によって振れ止めが行われているので、全ての吊戸１ａ，１ｂ，１ｃの振れ止めを行える。
【０００８】
請求項２に記載の発明は、請求項１に記載の吊戸装置において、
前記第２係合部材１５は、水平に設けられた水平板部１５ａと、この水平板部１５ａの一端部に垂直に設けられた固定板部１５ｂと、前記水平板部１５ａの他端部に垂直に設けられた係合板部１５ｃとから構成されており、
前記固定板部１５ｂが前記一方の吊戸１ａ（１ｂ）の先端部の下端部側面に固定されており、
前記係合板部１５ｃが前記他方の吊戸１ｂ（１ｃ）の下端面に形成されこの吊戸１ｂ（１ｃ）の幅方向に延在する溝１２にスライド可能に係合されており、
前記水平板部１５ａが前記他方の吊戸１ｂ（１ｃ）の下方に配置されていることを特徴とする。
【０００９】
請求項２に記載の発明によれば、固定板部１５ｂを一方の吊戸１ａ（１ｂ）の下端部側面に固定することによって、第２係合部材１５を容易かつ確実に固定でき、係合板部１５ｃを他方の吊戸１ｂ（１ｃ）の下端面の溝１２に係合することによって他方の吊戸１ｂ（１ｃ）を安定的にスライドさせることができる。
【００１０】
請求項３に記載の発明は、請求項１または２に記載の吊戸装置において、
前記第１係合部材１０は、水平に設けられた固定板部１０ａと、この固定板部１０ａの一端部に垂直に設けられた係合板部１０ｂとから構成されており、
前記固定板部１０ａが前記２枚以上の吊戸１ａ，１ｂ，１ｃのうち前後方向の一端側に位置する吊戸１ａの下方またはその近傍に位置する床面５に固定されており、
前記係合板部１０ｂが前記一端側に位置する吊戸１ａの下端面に形成され、この吊戸１ａの幅方向に延在する溝１２にスライド可能に係合されていることを特徴とする。
【００１１】
請求項３に記載の発明によれば、固定板部１０ａを前後方向の一端側に位置する吊戸１ａの下方またはその近傍に位置する床面５に固定することによって、第１係合部材１０を床面５に容易かつ確実に固定でき、係合板部１０ｂを前記一端側に位置する吊戸１ａの下端面の溝１２に係合することによってこの吊戸１ａを安定的にスライドさせることができる。
【００１２】
請求項４に記載の発明は、請求項１〜３のいずれか一項に記載の吊戸装置において、
前記２枚以上の吊戸１ａ，１ｂ，１ｃのうち、前後方向の他端側に位置する吊戸１ａの下端面の先端部には、前記レール１７にスライド可能に係合するスライダ２０が設けられていることを特徴とする。
【００１３】
請求項４に記載の発明によれば、前後方向の他端側に位置する吊戸１ｃの下端面の先端部に設けられたスライダ２０がレール１７にスライド可能に係合することによって、該吊戸１ｃを安定的にスライドさせることができる。
【００１４】
請求項５に記載の発明は、請求項１〜４のいずれか一項に記載の吊戸装置において、
前記２枚以上の吊戸１ａ，１ｂ，１ｃのうち、前後方向の一端側に位置する吊戸１ａは、壁面６ａに対向して配置されており、この吊戸１ａと前記壁面６との間に位置する床面５に、前記第１係合部材１０が固定されていることを特徴とする。
【００１５】
請求項５に記載の発明によれば、前後方向の一端側に位置する吊戸１ａと壁面６ａとの間に位置する床面５に、第１係合部材１０が固定されているので、第１係合部材１０を壁面６ａおよび吊戸１ａによって隠すことができる。
【発明の効果】
【００１６】
本発明によれば、２枚以上の吊戸のうち、前後方向の一端側に位置する吊戸の下端部には、床面または前記吊戸に対向配置された壁面の下端部に固定された第１係合部材が前記吊戸をスライド可能とするように係合されており、隣り合う吊戸のうち、一方の吊戸の先端部の下端部には、第２係合部材が固定されており、他方の吊戸の下端部には前記第２係合部材が該他方の吊戸をスライド可能とするように係合されており、２枚以上の吊戸のうち、前後方向の他端側に位置する吊戸の下端部は、床面に固定されたレールにスライド可能に係合しているので、これら第１係合部材、第２係合部材、レールによって、全ての吊戸の振れ止めを行える。
【発明を実施するための最良の形態】
【００１７】
以下図面を参照して本発明の実施の形態について説明する。
（第１の実施の形態）
図１は本発明の第１の実施の形態に係る吊戸装置を示す縦断面図、図２は図１におけるＡ−Ａ線断面図、図３は吊戸によって開口を閉じた状態を示す平断面図である。
これらの図に示す吊戸装置は、３枚の吊戸１ａ，１ｂ，１ｃを備えている。３枚の吊戸１ａ，１ｂ，１ｃは、左右方向（図１において紙面と直交する方向、図２において左右方向）にスライド可能となるように前後方向（図１において左右方向、図２において上下方向）に重ねて吊持されている。
【００１８】
すなわちまず、３枚の吊戸１ａ，１ｂ，１ｃの上端部には、上吊り車２がそれぞれ取り付けられている。なお、上吊り車２は、３枚の吊戸１ａ，１ｂ，１ｃの上端部の幅方向２箇所にそれぞれ取り付けられている。
一方、吊戸１ａ，１ｂ，１ｃの上方に位置する天井３には、ハンガーレール４が固定されている。このハンガーレール４は、天井３に固定された固定板４ａと、この固定板４ａから垂下する３本のレール４ｂ・・・とによって構成されている。３本のレール４ｂ・・・は平行離間して配置されており、該３本のレール４ｂ・・・に前記３枚の吊戸１ａ，１ｂ，１ｃの上吊り車２・・・がレール４ｂの長手方向（図１において紙面と直交する方向、図２において左右方向）走行可能に係合されている。この状態において、吊戸１ａ，１ｂ，１ｃの下端面と床面５との間には所定の隙間が設けられている。
したがって、３枚の吊戸１ａ，１ｂ，１ｃはハンガーレール４に吊持された状態で、レール４ｂの長手方向にスライド可能となっている。
【００１９】
前記３枚の吊戸１ａ，１ｂ，１ｃのうち、前後方向の一端側に位置する吊戸１ａは、壁面６ａに所定の隙間をあけて対向して配置されている。この壁面６ａは、壁６の吊戸側を向く面である。壁６は床７と天井３との間に設けられており、壁パネル６ｂの両面に石膏ボード６ｃ，６ｃを取り付けて形成されている。そして、吊戸側を向く石膏ボード６ｃの表面が前記壁面６ａとなっている。なお、吊戸側と反対側を向く石膏ボード６ｃの表面には壁紙６ｄが貼り付けられている。
【００２０】
前記吊戸１ａの下端部には、床面５に固定された第１係合部材１０が吊戸１ａをスライド可能とするように係合されている。
すなわちまず、吊戸１ａと壁面６ａとの間に位置する床面５には、第１係合部材１０が固定されている。第１係合部材１０は、水平に設けられた固定板部１０ａと、この固定板部１０ａの一端部に設けられた係合板部１０ｂとから構成されたＬ型の金具であり、前記固定板部１０ａが吊戸１ａと壁面６ａとの間に位置する床面５に、ビス１１によって固定されている。なお、床面５は前記床７の表面に固定されたフローリング材の表面で構成されている。また、第１係合部材１０は、壁６の先端部近傍の床面５に固定されている。
【００２１】
前記係合板部１０ｂは、前記吊戸１ａの下端面に形成された溝１２にスライド可能に係合されている。溝１２は吊戸１ａの下端面に、該吊戸１ａの幅方向に延在して形成されており、該溝１２の両端部には、端部金具１２ａ，１２ａが設けられている。
端部金具１２ａ，１２ａは、吊戸１ａの下端面に埋設されており、その表面は吊戸１ａの下端面とほぼ面一となっている。端部金具１２ａには、前記溝１２と同幅の溝が形成されており、この溝が前記溝１２の端部を構成している。端部金具１２ａ，１２ａには、前記係合板部１０ｂが係合するようになっており、前側（図２において左側）の端部金具１２ａに係合板部１０ｂが係合することによって、吊戸１ａの開位置の位置決めがなされるとともに、吊戸１ａがそれ以上引き込まれないように吊戸１ａの引き込み側（図２において右側）へのスライドが規制され、後側（図３において右側）の端部金具１２ａに係合板部１０ｂが係合することによって、吊戸１ａの閉位置の位置決めがなされるとともに、吊戸１ａがそれ以上引き出されないように吊戸１ａの引き出し側（図３において左側）へのスライドが規制されるようになっている。
【００２２】
また、隣り合う吊戸１ａ，１ｂのうち、一方の吊戸１ａの先端部の下端部には、第２係合部材１５が固定されており、他方の吊戸１ｂの下端部には第２係合部材１５が該他方の吊戸１ｂをスライド可能とするように係合されている。
すなわちまず、第２係合部材１５は、水平に設けられた水平板部１５ａと、この水平板部１５ａの一端部に垂直に設けられた固定板部１５ｂと、前記水平板部１５ａの他端部に垂直に設けられた係合板部１５ｃとから構成された断面鈎型の金具であり、前記固定板部１５ｂが前記吊戸１ａの先端部の下端部側面にビス１６によって固定されている。
また、水平板部１５ａは、固定板部１５ｂの下端部から他方の吊戸１ｂ側に延びて、該吊戸１ｂの下方に配置されている。
さらに、係合板部１５ｃは水平板部１５ａの端部から上方に延びて、吊戸１ｂの下端面に形成された溝１２にスライド可能に係合されている。溝１２は吊戸１ｂの下端面に、該吊戸１ｂの幅方向に延在して形成されており、該溝１２の両端部には、前記吊戸１ａの下端面に設けられたものと同様の端部金具１２ａ，１２ａが同様にして設けられている。
【００２３】
端部金具１２ａ，１２ａには、前記係合板部１５ｃが係合するようになっており、前側（図２において左側）の端部金具１２ａに係合板部１５ｃが係合することによって、吊戸１ｂの開位置の位置決めがなされるとともに、吊戸１ｂがそれ以上引き込まれないように吊戸１ｂの引き込み側（図２において右側）へのスライドが規制され、後側（図３において右側）の端部金具１２ａに係合板部１５ｃが係合することによって、吊戸１ｂの閉位置の位置決めがなされるとともに、吊戸１ｂがそれ以上引き出されないように吊戸１ｂの引き出し側（図３において左側）へのスライドが規制されるようになっている。
【００２４】
さらに、隣り合う吊戸１ｂ，１ｃのうち、一方の吊戸１ｂの先端部の下端部側面には、前記吊戸１ａの先端部の下端部側面に固定された第２係合部材１５と同様の第２係合部材１５の固定板部１５ｂが固定されている。
また、水平板部１５ａは、固定板部１５ｂの下端部から他方の吊戸１ｃ側に延びて、該吊戸１ｃの下方に配置されている。
さらに、係合板部１５ｃは水平板部１５ａの端部から上方に延びて、吊戸１ｃの下端面に形成された溝１２にスライド可能に係合されている。溝１２は吊戸１ｃの下端面に、該吊戸１ｂの幅方向に延在して形成されており、該溝１２の両端部には、前記吊戸１ａ，１ｂの下端面にそれぞれ設けられたものと同様の端部金具１２ａ，１２ａが同様にして設けられている。
【００２５】
端部金具１２ａ，１２ａには、前記係合板部１５ｃが係合するようになっており、前側（図２において左側）の端部金具１２ａに係合板部１５ｃが係合することによって、吊戸１ｃの開位置の位置決めがなされるとともに、吊戸１ｃがそれ以上引き込まれないように吊戸１ｂの引き込み側（図２において右側）へのスライドが規制され、後側（図３において右側）の端部金具１２ａに係合板部１５ｃが係合することによって、吊戸１ｃの閉位置の位置決めがなされるとともに、吊戸１ｃがそれ以上引き出されないように吊戸１ｃの引き出し側（図３において左側）へのスライドが規制されるようになっている。
【００２６】
３枚の吊戸１ａ，１ｂ，１ｃのうち、前後方向の他端側に位置する吊戸１ｃの下端部は、床面５に固定されたレール１７にスライド可能に係合している。
すなわち、吊戸１ｃの下端面の先端部には、スライダ２０が軸２０ａを介して取り付けられている。軸２０ａは吊戸１ｃの下端面の先端部で、かつ、前記端部金具１２ａより前側に固定されている。軸２０ａの下端部は、前記第２係合部材１５より下方に突出しており、この軸２０ａの下端部にスライダ２０が固定されている。
一方、前記床面５には、図２および図３において、左右方向の延びる溝が形成されており、この溝にレール１７が嵌め込まれている。レール１７は断面凹状に形成されており、その凹溝に前記スライダ２０がレール１７の長手方向（左右方向）に摺動可能に係合されている。なお、レール２１は吊戸１ｃが閉位置までスライド可能となるように、開口２１の端部２１ａまで延在している。
【００２７】
上記のような吊戸装置は、図２および図３に示すように、壁６の左側にある開口２１を開閉する際に使用される。
図５は、開口２１が開いている状態を示す。この状態において、吊戸装置の３枚の吊戸１ａ，１ｂ，１ｃは、壁６の壁面６ａ側に引き込まれており、この状態において、吊戸１ａの下端面の前側の端部金具１２ａに、床面５に固定された第１係合部材１０の係合板部１０ｂが係合し、吊戸１ｂの下端面の前側の端部金具１２ａに、吊戸１ａの下端部側面に固定された第２係合部材１５の係合板部１５ｃが係合し、吊戸１ｃの下端面の前側の端部金具１２ａに、吊戸１ｂの下端部側面に固定された第２係合部材１５の係合板部１５ｃが係合している。これによって、３枚の吊戸１ａ，１ｂ，１ｃは、それらがそれ以上引き込まれないように吊戸１ａ，１ｂ，１ｃの引き込み側（図２において右側）へのスライドが規制されている。
【００２８】
開口２１を吊戸装置の３枚の吊戸１ａ，１ｂ，１ｃによって閉じる場合、まず吊戸１ｃを左側にスライドさせると、吊戸１ｂに固定されている第２係合部材１５の係合板部１５ｃが吊戸１ｃの下端面の溝１２を相対的に右側にスライドし、右側の端部金具１２ａに係合する。なお、吊戸１ｃがスライドする場合、吊戸１ｃの下端部に取り付けられたスライダ２０がレール１７を摺動するとともに、吊戸１ｃの上端部の上吊り車２がハンガーレール４を走行する。これによって、吊戸１ｃは安定的にスライドする。
さらに、吊戸１ｃを左側にスライドさせると、前記右側の端部金具１２ａに係合している係合板部１５ｃが左側に移動し、これに伴って、吊戸１ｂが引き出されて左側にスライドする。
吊戸１５ｃのスライドに伴って、さらに吊戸１５ｂが左側にスライドすると、吊戸１ａに固定されている第２係合部材１５の係合板部１５ｃが吊戸１ｂの下端面の溝１２を相対的に右側にスライドし、右側の端部金具１２ａに係合する。
さらに、吊戸１ｂが左側にスライドすると、前記右側の端部金具１２ａに係合している係合板部１５ｃが左側に移動し、これに伴って、吊戸１ａが引き出されて左側にスライドする。
さらに、吊戸１ａが左側にスライドすると、床面５に固定されている第１係合部材１０の係合板部１０ｂが吊戸１ａの下端面の溝１２を相対的に右側にスライドし、右側の端部金具１２ａに係合し、それ以上の吊戸１ａのスライドが規制される。これと同時に、吊戸１ｃが開口部２１の端部２１ａに当接することによって、開口部２１が吊戸１ａ，１ｂ，１ｃによって閉じられる。
【００２９】
開口２１を開く場合、吊戸１ｃを右側にスライドさせると、順次吊戸１ｂ，１ｃが連動して右側にスライドすることによって行う。
なお、本実施の形態では、開口２１を開閉じる際に、吊戸１ｃを左右側にスライドさせることによって、吊戸１ｂ，１ｃを連動して左右側にスライドさせたが、吊戸１ａ，１ｂ，１ｃをそれぞれ適宜スライドさせることによって、開口２１を開閉してもよい。
【００３０】
本実施の形態によれば、前後方向の一端側に位置する吊戸１ａの下端面に形成された溝１２に、床面５に固定された第１係合部材１０の係合板部１０ｂが係合され、前後方向の他端側に位置する吊戸１ｃの下端部のスライダ２０が、床面５に固定されたレール１７にスライド可能に係合しており、隣り合う吊戸１ａ，１ｂ（１ｂ，１ｃ）のうち、一方の吊戸１ａ（１ｂ）の先端部の下端部側面に、第２係合部材１５が固定されており、他方の吊戸１ｂ（１ｃ）の下端面に形成された溝１２に前記第２係合部材１５の係止板部１５ｃが係合さているので、全ての吊戸１ａ，１ｂ，１ｃは、第１係合部材１０、第２係合部材１５、レール１７によってその振れ止めが行われている。つまり、前後方向の一端側に位置する吊戸１ａは第１係合部材１０と第２係合部材１５とによって振れ止めが行われ、前後方向の他端側に位置する吊戸１ｃは、レール１７と第２係合部材１５とによって振れ止めが行われ、吊戸１ａと吊戸１ｃとの間にある吊戸１ｂは、第２係合部材１５，１５によって振れ止めが行われているので、全ての吊戸１ａ，１ｂ，１ｃの振れ止めを行える。
特に、吊戸１ａ，１ｂ，１ｃによって開口２１を閉じた状態では、吊戸１ａの下端部の前部と後部がそれぞれ第２係合部材１５と第１係合部材１０によって振れ止めされ、吊戸１ｂの下端部の前部と後部がそれぞれ第２係合部材１５，１５によって振れ止めされ、さらに、吊戸１ｃの下端部の前部と後部がそれぞれレール１７と第２係合部材１５によって振れ止めされているので、吊戸１ａ，１ｂ，１ｃをより確実に振れ止めすることができる。
【００３１】
また、第２係合部材１５が、水平板部１５ａと、固定板部１５ｂと、係合板部１５ｃとから構成されており、固定板部１５ｂが一方の吊戸１ａ（１ｂ）の先端部の下端部側面に固定されており、係合板部１５ｃが他方の吊戸１ｂ（１ｃ）の下端面に形成された溝１２にスライド可能に係合されているので、第２係合部材１５を容易かつ確実に固定できるとともに、他方の吊戸１ｂ（１ｃ）を安定的にスライドさせることができる。
【００３２】
さらに、第１係合部材１０が、固定板部１０ａと、係合板部１０ｂとから構成されており、固定板部１０ａが吊戸１ａの下方に位置する床面５に固定されており、係合板部１０ｂが吊戸１ａの下端面に形成された溝１２にスライド可能に係合されているので、第１係合部材１０を床面５に容易かつ確実に固定できるとともに、吊戸１ａを安定的にスライドさせることができる。
また、吊戸１ｃの下端面の先端部には、レール１７にスライド可能に係合するスライダ２０が設けられているので、該吊戸１ｃを安定的にスライドさせることができる。
加えて、吊戸１ａが、壁面６ａに対向して配置されており、この吊戸１ａと壁面６ａとの間に位置する床面５に、第１係合部材１０が固定されているので、第１係合部材１０を壁面６ａおよび吊戸１ａによって隠すことができる。
【００３３】
なお、本実施の形態では、吊戸装置を３枚の吊戸１ａ，１ｂ，１ｃを備える構成としたが、４枚以上の吊戸によって構成してもよいのは勿論のことである。
また、本実施の形態では、第１係合部材１０を床面５に固定したが、これに代えて、壁面６ａの下端部に固定してもよい。
【００３４】
（第２の実施の形態）
図４は本発明の第２の実施の形態に係る吊戸装置を示す縦断面図、図５は図４におけるＡ−Ａ線断面図、図６は吊戸によって開口を閉じた状態を示す平断面図である。
これらの図に示す吊戸装置は、３枚の吊戸３１ａ，３１ｂ，３１ｃを備えている。３枚の吊戸３１ａ，３１ｂ，３１ｃは、左右方向（図４において紙面と直交する方向、図５において左右方向）にスライド可能となるように前後方向（図４において左右方向、図５において上下方向）に重ねて吊持されている。
【００３５】
３枚の吊戸３１ａ，３１ｂ，３１ｃの上端部には、上吊り車３２がそれぞれ取り付けられている。なお、上吊り車３２は、３枚の吊戸３１ａ，３１ｂ，３１ｃの上端部の幅方向２箇所にそれぞれ取り付けられている。
一方、吊戸３１ａ，３１ｂ，３１ｃの上方に位置する、開口部の上面には、ハンガーレール３４，３４，３４が所定間隔で並行に設けられている。ハンガーレール３４は断面略コ字型の長尺なものであり、前記開口部の上面に形成された凹溝に、下面開口部を下に向けて嵌め込まれて固定されている。
これらハンガーレール３４，３４，３４には、前記３枚の吊戸３１ａ，３１ｂ，３１ｃの上吊り車３２，３２，３２がハンガーレール３４の長手方向（図４において紙面と直交する方向、図５において左右方向）に走行可能に係合されている。
この状態において、吊戸３１ａ，３１ｂ，３１ｃの下端面と床面３５との間には所定の隙間が設けられている。
したがって、３枚の吊戸３１ａ，３１ｂ，３１ｃはハンガーレール３４，３４，３４に吊持された状態で、ハンガーレール３４の長手方向にスライド可能となっている。
なお、ハンガーレール３４の対向する側壁部の下端部には、内側に向けて水平に突出する突部が対向して形成されており、これら突部上を上吊り車３２が走行可能となっている。
【００３６】
前記３枚の吊戸３１ａ，３１ｂ，３１ｃのうち、前後方向の一端側に位置する吊戸３１ａは、壁面３６ａに所定の隙間をあけて対向して配置されている。この壁面３６ａは、壁３６の吊戸側を向く面である。壁３６は床３７上に設けられたフローリング材と前記開口部の上面との間に設けられている。
【００３７】
前記３枚の吊戸３１ａの下端部には、床面３５に固定された第１係合部材４０が吊戸３１ａをスライド可能とするように係合されている。
すなわちまず、吊戸３１ａの下方に位置する床面３５には、第１係合部材４０が固定されている。第１係合部材４０は、水平に設けられた固定板部４０ａと、この固定板部４０ａの中央部に設けられた係合板部４０ｂとから構成されたＴ型の金具であり、前記固定板部４０ａが吊戸３１ａの下方に位置する床面３５に、ビスによって固定されている。なお、床面３５は前記床３７の表面に固定されたフローリング材の表面で構成されている。
【００３８】
前記係合板部４０ｂは、前記吊戸３１ａの下端面に形成された溝４２にスライド可能に係合されている。溝４２は吊戸３１ａの下端面に、該吊戸３１ａの幅方向に延在して形成されており、該溝４２の両端部には、端部金具４２ａ，４２ａが設けられている。
端部金具４２ａ，４２ａは、吊戸３１ａの下端面に固定されており、その表面は吊戸３１ａの下端面から若干突出している。端部金具４２ａには、前記溝４２より幅が若干大きい溝が形成されており、平面視（底面視）においてこの溝の内側に前記溝４２の端部が位置している。端部金具４２ａ，４２ａには、前記溝４２をスライドして、該溝４２の端部に位置した係合板部４０ｂが入り込むようになっている。また、端部金具４２ａの溝の底部には、当接部材４２ｂが固定されている。この当接部材４２は樹脂やゴム等の衝撃を吸収可能な材料で形成されている。
そして、前側（図５において左側）の端部金具４２ａの当接部材４２ｂに係合板部４０ｂが当接することによって、吊戸３１ａの開位置の位置決めがなされるとともに、吊戸３１ａがそれ以上引き込まれないように吊戸３１ａの引き込み側（図５において右側）へのスライドが規制され、後側（図６において右側）の端部金具４２ａの当接部材４２ｂに係合板部４０ｂが当接することによって、吊戸３１ａの閉位置の位置決めがなされるとともに、吊戸３１ａがそれ以上引き出されないように吊戸３１ａの引き出し側（図６において左側）へのスライドが規制されるようになっている。
【００３９】
また、隣り合う吊戸３１ａ，３１ｂのうち、一方の吊戸３１ａの先端部の下端部には、第２係合部材４５が固定されており、他方の吊戸４１ｂの下端部には第２係合部材４５が該他方の吊戸３１ｂをスライド可能とするように係合されている。
すなわちまず、第２係合部材４５は、水平に設けられた水平板部４５ａと、この水平板部４５ａの一端部に垂直に設けられた固定板部４５ｂと、前記水平板部４５ａの他端部に垂直に設けられた係合板部４５ｃとから構成された断面鈎型の金具であり、前記固定板部４５ｂが前記吊戸３１ａの先端部の下端部側面にビス４６によって固定されている。
また、水平板部４５ａは、固定板部４５ｂの下端部から他方の吊戸３１ｂ側に延びて、該吊戸３１ｂの下方に配置されている。
さらに、係合板部４５ｃは水平板部４５ａの端部から上方に延びて、吊戸３１ｂの下端面に形成された溝４２にスライド可能に係合されている。溝４２は吊戸３１ｂの下端面に、該吊戸３１ｂの幅方向に延在して形成されており、該溝４２の両端部には、前記吊戸３１ａの下端面に設けられたものと同様の端部金具４２ａ，４２ａが同様にして設けられている。
【００４０】
端部金具４２ａ，４２ａには、前記溝４２をスライドして、該溝４２の端部に位置した係合板部４５ｂｃが入り込むようになっている。そして、前側（図５において左側）の端部金具４２ａの当接部材４２ｂに係合板部４５ｃが当接することによって、吊戸３１ｂの開位置の位置決めがなされるとともに、吊戸３１ｂがそれ以上引き込まれないように吊戸３１ｂの引き込み側（図５において右側）へのスライドが規制され、後側（図６において右側）の端部金具４２ａの当接部材４２ｂに係合板部４５ｃが当接することによって、吊戸３１ｂの閉位置の位置決めがなされるとともに、吊戸３１ｂがそれ以上引き出されないように吊戸３１ｂの引き出し側（図６において左側）へのスライドが規制されるようになっている。
【００４１】
さらに、隣り合う吊戸３１ｂ，３１ｃのうち、一方の吊戸３１ｂの先端部の下端部側面には、前記吊戸３１ａの先端部の下端部側面に固定された第２係合部材４５と同様の第２係合部材４５の固定板部４５ｂが固定されている。
また、水平板部４５ａは、固定板部４５ｂの下端部から他方の吊戸３１ｃ側に延びて、該吊戸３１ｃの下方に配置されている。
さらに、係合板部４５ｃは水平板部４５ａの端部から上方に延びて、吊戸３１ｃの下端面に形成された溝４２にスライド可能に係合されている。溝４２は吊戸３１ｃの下端面に、該吊戸３１ｂの幅方向に延在して形成されており、該溝４２の両端部には、前記吊戸３１ａ，３１ｂの下端面にそれぞれ設けられたものと同様の端部金具４２ａ，４２ａが同様にして設けられている。
【００４２】
端部金具４２ａ，４２ａには、前記溝４２をスライドして、該溝４２の端部に位置した係合板部４５ｃが入り込むようになっている。そして、前側（図５において左側）の端部金具４２ａの当接部材４２ｂに係合板部４５ｃが当接することによって、吊戸３１ｃの開位置の位置決めがなされるとともに、吊戸３１ｃがそれ以上引き込まれないように吊戸１ｂの引き込み側（図５において右側）へのスライドが規制され、後側（図６において右側）の端部金具４２ａの当接部材４２ｂに係合板部４５ｃが当接することによって、吊戸３１ｃの閉位置の位置決めがなされるとともに、吊戸３１ｃがそれ以上引き出されないように吊戸３１ｃの引き出し側（図６において左側）へのスライドが規制されるようになっている。
【００４３】
３枚の吊戸３１ａ，３１ｂ，３１ｃのうち、前後方向の他端側に位置する吊戸３１ｃの下端部は、床面３５に固定されたレール４７にスライド可能に係合している。
すなわち、吊戸３１ｃの下端面の先端部には、スライダ５０が軸５０ａを介して取り付けられている。軸５０ａは吊戸３１ｃの下端面の先端部で、かつ、前記端部金具４２ａより前側に固定されている。軸５０ａの下端部は、前記第２係合部材４５より下方に突出しており、この軸５０ａの下端部にスライダ５０が固定されている。
一方、前記床面３５には、図５および図６において、左右方向の延びる溝が形成されており、この溝にレール４７が嵌め込まれている。レール４７は断面凹状に形成されており、その凹溝に前記スライダ５０がレール４７の長手方向（左右方向）に摺動可能に係合されている。なお、レール４７は吊戸３１ｃが閉位置までスライド可能となるように、開口２１の端部２１ａまで延在している。
【００４４】
また、３枚の吊戸３１ａ，３１ｂ，３１ｃのそれぞれ側端部には、引手部材５５，５５が取り付けられている。引手部材５５は、吊戸の上下方向に延在する長尺なもので、その対向する側面には、断面半円状の凹溝５５ａが上下に延在して形成されている。そして、この凹溝５５ａに手を引っ掛けて吊戸３１ａ，３１ｂ，３１ｃを引き出せるようになっている。
また、吊戸３１ｂ，３１ｃの後方（図５において右方）には、戸当り５６ｂ，５６ｃが平面視において段差をもって設けられており、吊戸３１ｂ，３１ｃは、その開位置において、それぞれ戸当り５６，５６に当接し、吊戸３１ａは開口部の内壁面５７に当接するようになっている。これによって、吊戸３１ａ，３１ｂ，３１ｃは、その開位置において、前側の側端部が平面視において段差を付けられ、吊戸３１ａ，３１ｂ，３１ｃのそれぞれ引手部材５５，５５，５５の凹溝５５ａ，５５ａ，５５ａが開口部の一方の側から見て露出している。
【００４５】
上記のような吊戸装置は、図５および図６に示すように、壁３６の左側にある開口２１を開閉する際に使用される。
図２は、開口２１が開いている状態を示す。この状態において、吊戸装置の３枚の吊戸３１ａ，３１ｂ，３１ｃは、壁３６の壁面３６ａ側に引き込まれており、この状態において、吊戸３１ａの下端面の前側の端部金具４２ａ当接部材４２ｂに、床面３５に固定された第１係合部材４０の係合板部４０ｂが当接し、吊戸３１ｂの下端面の前側の端部金具４２ａの当接部材４２ｂに、吊戸３１ａの下端部側面に固定された第２係合部材４５の係合板部４５ｃが当接し、吊戸３１ｃの下端面の前側の端部金具４２ａの当接部材４２ｂに、吊戸３１ｂの下端部側面に固定された第２係合部材４５の係合板部４５ｃが当接している。これによって、３枚の吊戸３１ａ，３１ｂ，３１ｃは、それらがそれ以上引き込まれないように吊戸３１ａ，３１ｂ，３１ｃの引き込み側（図５において右側）へのスライドが規制されている。また、３枚の吊戸３１ａ，３１ｂ，３１ｃはそれらの後側の側端部が壁面５７、戸当り５０ｂ，５０ｃに当接することによっても、引き込み側（図５において右側）へのスライドが規制されている。
【００４６】
開口２１を吊戸装置の３枚の吊戸３１ａ，３１ｂ，３１ｃによって閉じる場合、まず吊戸３１ｃを左側にスライドさせると、吊戸３１ｂに固定されている第２係合部材４５の係合板部１５ｃが吊戸３１ｃの下端面の溝４２を相対的に右側にスライドし、右側の端部金具４２ａの当接部材４２ｂに係合する。なお、吊戸３１ｃがスライドする場合、吊戸３１ｃの下端部に取り付けられたスライダ５０がレール４７を摺動するとともに、吊戸３１ｃの上端部の上吊り車３２がハンガーレール３４を走行する。これによって、吊戸３１ｃは安定的にスライドする。
さらに、吊戸３１ｃを左側にスライドさせると、前記右側の端部金具４２ａの当接部材４２ｂに当接している係合板部４５ｃが左側に移動し、これに伴って、吊戸３１ｂが引き出されて左側にスライドする。
吊戸４５ｃのスライドに伴って、さらに吊戸４５ｂが左側にスライドすると、吊戸３１ａに固定されている第２係合部材４５の係合板部４５ｃが吊戸３１ｂの下端面の溝４２を相対的に右側にスライドし、右側の端部金具４２ａの当接部材４２ｂに当接する。
さらに、吊戸３１ｂが左側にスライドすると、前記右側の端部金具４２ａの当接部材４２ｂに当接している係合板部４５ｃが左側に移動し、これに伴って、吊戸３１ａが引き出されて左側にスライドする。
さらに、吊戸３１ａが左側にスライドすると、床面３５に固定されている第１係合部材４０の係合板部４０ｂが吊戸３１ａの下端面の溝４２を相対的に右側にスライドし、右側の端部金具４２ａの当接部材４２ｂに当接し、それ以上の吊戸３１ａのスライドが規制される。これと同時に、吊戸３１ｃが開口部２１の端部２１ａに当接することによって、開口部２１が吊戸３１ａ，３１ｂ，３１ｃによって閉じられる。
【００４７】
開口２１を開く場合、吊戸３１ｃを右側にスライドさせると、順次吊戸３１ｂ，３１ｃが連動して右側にスライドすることによって行う。
なお、本実施の形態では、開口２１を開閉じる際に、吊戸３１ｃを左右側にスライドさせることによって、吊戸３１ｂ，３１ｃを連動して左右側にスライドさせたが、吊戸３１ａ，３１ｂ，３１ｃをそれぞれ適宜スライドさせることによって、開口２１を開閉してもよい。
【００４８】
本実施の形態によれば、前後方向の一端側に位置する吊戸３１ａの下端面に形成された溝４２に、床面３５に固定された第１係合部材４０の係合板部４０ｂが係合され、前後方向の他端側に位置する吊戸３１ｃの下端部のスライダ５０が、床面３５に固定されたレール４７にスライド可能に係合しており、隣り合う吊戸３１ａ，３１ｂ（３１ｂ，３１ｃ）のうち、一方の吊戸３１ａ（３１ｂ）の先端部の下端部側面に、第２係合部材４５が固定されており、他方の吊戸３１ｂ（３１ｃ）の下端面に形成された溝４２に前記第２係合部材４５の係止板部４５ｃが係合さているので、全ての吊戸３１ａ，３１ｂ，３１ｃは、第１係合部材４０、第２係合部材４５、レール４７によってその振れ止めが行われている。つまり、前後方向の一端側に位置する吊戸３１ａは第１係合部材４０と第２係合部材４５とによって振れ止めが行われ、前後方向の他端側に位置する吊戸３１ｃは、レール４７と第２係合部材４５とによって振れ止めが行われ、吊戸３１ａと吊戸３１ｃとの間にある吊戸３１ｂは、第２係合部材４５，４５によって振れ止めが行われているので、全ての吊戸３１ａ，３１ｂ，３１ｃの振れ止めを行える。
特に、吊戸３１ａ，３１ｂ，３１ｃによって開口２１を閉じた状態では、吊戸３１ａの下端部の前部と後部がそれぞれ第２係合部材４５と第１係合部材４０によって振れ止めされ、吊戸３１ｂの下端部の前部と後部がそれぞれ第２係合部材４５，４５によって振れ止めされ、さらに、吊戸３１ｃの下端部の前部と後部がそれぞれレール４７と第２係合部材４５によって振れ止めされているので、吊戸３１ａ，３１ｂ，３１ｃをより確実に振れ止めすることができる。
【００４９】
また、第２係合部材４５が、水平板部４５ａと、固定板部４５ｂと、係合板部４５ｃとから構成されており、固定板部４５ｂが一方の吊戸３１ａ（３１ｂ）の先端部の下端部側面に固定されており、係合板部４５ｃが他方の吊戸３１ｂ（３１ｃ）の下端面に形成された溝４２にスライド可能に係合されているので、第２係合部材４５を容易かつ確実に固定できるとともに、他方の吊戸３１ｂ（３１ｃ）を安定的にスライドさせることができる。
【００５０】
さらに、第１係合部材４０が、固定板部４０ａと、係合板部４０ｂとから構成されており、固定板部４０ａが吊戸４１ａの下方に位置する床面３５に固定されており、係合板部４０ｂが吊戸３１ａの下端面に形成された溝４２にスライド可能に係合されているので、第１係合部材４０を床面３５に容易かつ確実に固定できるとともに、吊戸３１ａを安定的にスライドさせることができる。
また、吊戸３１ｃの下端面の先端部には、レール４７にスライド可能に係合するスライダ５０が設けられているので、該吊戸３１ｃを安定的にスライドさせることができる。
加えて、吊戸３１ａが、壁面３６ａに対向して配置されており、この吊戸３１ａの下方に位置する床面３５に、第１係合部材１０が固定されているので、第１係合部材４０を壁面３６ａおよび吊戸３１ａによって隠すことができる。
【００５１】
なお、本実施の形態では、吊戸装置を３枚の吊戸３１ａ，３１ｂ，３１ｃを備える構成としたが、４枚以上の吊戸によって構成してもよいのは勿論のことである。
また、本実施の形態では、第１係合部材４０を床面３５に固定したが、これに代えて、壁面３６ａの下端部に固定してもよい。
【００５２】
さらに、本実施の形態では、吊戸装置を３枚の吊戸３１ａ，３１ｂ，３１ｃを備える構成としたが、第３の実施の形態として、図７〜図９に示すように、吊戸装置を２枚の吊戸３１ａ，３１ｂを備える構成としてもよい。
なお、図７〜図９に示す第３の実施の形態の吊戸装置は、図４〜図６に示す第２の実施の形態の吊戸装置と、吊戸の枚数が異なるだけで、その他の構成は同じであるので、共通部分には同一符号を付してその説明を省略する。
また、第２の実施の形態では、吊戸３１ｃにスライダ５０を設けたが、本実施の形態では、吊戸３１ｂにスライダ５０を設けている。すなわち、吊戸３１ｂの下端面の先端部に、スライダ５０が軸５０ａを介して取り付けられている。軸５０ａは吊戸３１ｂの下端面の先端部で、かつ、前記端部金具４２ａより前側に固定されている。軸５０ａの下端部は、前記第２係合部材４５より下方に突出しており、この軸５０ａの下端部にスライダ５０が固定されている。
第３の実施の形態の吊戸装置では、第２の実施の形態の吊戸装置と同様の効果を得ることができる。
【図面の簡単な説明】
【００５３】
【図１】本発明の第１の実施の形態の吊戸装置を示すもので、その縦断面図である。
【図２】同、図１におけるＡ−Ａ線断面図である。
【図３】同、吊戸によって開口を閉じた状態を示す平断面図である。
【図４】本発明の第２の実施の形態の吊戸装置を示すもので、その縦断面図である。
【図５】同、図１におけるＡ−Ａ線断面図である。
【図６】同、吊戸によって開口を閉じた状態を示す平断面図である。
【図７】本発明の第３の実施の形態の吊戸装置を示すもので、その縦断面図である。
【図８】同、図１におけるＡ−Ａ線断面図である。
【図９】同、吊戸によって開口を閉じた状態を示す平断面図である。
【符号の説明】
【００５４】
１ａ，１ｂ，１ｃ，３１ａ，３１ｂ，３１ｃ  吊戸
５，３５  床面
６ａ，３６  壁面
１０，４０  第１係合部材
１０ａ，４０ａ  固定板部
１０ｂ，４０ｂ  係合板部
１２，４２  溝
１５，４５  第２係合部材
１５ａ，４５ａ  水平板部
１５ｂ，４５ｂ  固定板部
１５ｃ，４５ｃ  係合板部
１７，４７  レール
２０，５０  スライダ
【図１】
2009287223.tif 000003
【図２】
2009287223.tif 000004
【図３】
2009287223.tif 000005
【図４】
2009287223.tif 000006
【図５】
2009287223.tif 000007
【図６】
2009287223.tif 000008
【図７】
2009287223.tif 000009
【図８】
2009287223.tif 000010
【図９】
2009287223.tif 000011